(57)【要約】【課題】空気調和機において、冷房、暖房の能力を調整する補助熱交換器の有り無しにかかわらず、空気清浄手段の取り付け枠を、主熱交換器の端板を変えることなく装着可能にする。【解決手段】空気清浄手段の取り付け枠６の装着部を主熱交換器１の端板２に対して平行に配置し、かつ補助熱交換器９の端板１０に対して平行に配置することで、補助熱交換器の有り無しに拘わらず主熱交換器の端板を変えることなく空気清浄手段の取り付け枠を装着可能とした。【選択図】  図４
2005009821.tif 000002
【特許請求の範囲】
【請求項１】
少なくとも主熱交換器と、前記主熱交換器との装着部を有する取り付け枠を介して前記主熱交換器の送風上流側に配置される空気清浄手段を備えて構成された空気調和機であって、前記主熱交換器は積層された板状のフィンを具備して両端部において端板を有する構成であり、前記空気清浄手段の取付け枠の装着部は前記主熱交換器の前記端板面に平行な面に配置されていることを特徴とする空気調和機。
【請求項２】
少なくとも主熱交換器と、前記主熱交換器との装着部を有して前記主熱交換器の送風上流側に配置される補助熱交換器と、前記主熱交換器または前記補助熱交換器との装着部を有する取り付け枠を介して少なくとも前記主熱交換器の送風上流側に配置される空気清浄手段を備えて構成された空気調和機であって、前記主熱交換器及び前記補助熱交換器は積層された板状のフィンを具備して両端部において端板を有する構成であり、前記主熱交換器と、前記補助熱交換器と前記空気清浄手段の取付け枠の各装着部は前記主熱交換器の前記端板面に平行な面に配置されていることを特徴とする空気調和機。
【請求項３】
前記空気清浄手段の取付け枠が有する装着部に設けたネジの締め付けピッチは前記主熱交換器および前記補助熱交換器のそれぞれの端板に設けたネジの締め付けピッチ間と同寸法とし、前記空気清浄手段の取付け枠と前記主熱交換器の端板および前記補助熱交換器の端板はネジの締め付けにより相互に装着としたことを特徴とする請求項２記載の空気調和機。
【発明の詳細な説明】
【０００１】
【発明の属する技術分野】
本発明は、主熱交換器に補助熱交換器を装着する場合と、装着しない場合のいずれにおいても主熱交換器の送風上流側に空気清浄手段を容易に搭載することができる空気調和機に関するものである。
【０００２】
【従来の技術】
従来より、空気調和機の主熱交換器の前面に補助熱交換器を取り付ける構成が知られている（例えば特許文献１参照）。しかしこのような主熱交換器の前面に補助熱交換器を取り付ける構成において空気清浄手段を装着する場合は、製品の厚みが厚くなるため、近年では図７及び図８に示す様に、主熱交換器の送風上流側に空気清浄手段を取り付けることが一般的に行われている。図７、８において、７１は板状のフィンを積層した主熱交換器で端板７２が両端部に取付けられている。７３は主熱交換器７１の前面に配設した補助熱交換器で板状のフィンを積層し両端部に端板７４が取付けられている。７５は前記主熱交換器７１等を固定する台枠、７６は外装を構成する前面枠、７７は外装を構成する吸入パネル、７８は空気清浄手段の取り付け枠である。この種の空気清浄手段の取り付け枠７８を取り付ける空気調和機は、補助熱交換器の装着如何に関わらず、空気清浄手段の取り付け枠７８を補助熱交換器７３の端板７４に対し、図７、８に示すように略垂直な方向にして取り付けることが一般的である。
【０００３】
しかしながら、前記従来の構成では、空気調和機の形態により、補助熱交換器を装着しない場合から、補助熱交換器を装着する空気調和機にかえた時に、空気清浄手段の取り付け枠７８が主熱交換器７１の端板７２に対し略垂直に取り付けるように、主熱交換器７１の端板７２に切り起こしの取り付け部を設けた場合、その切り起こしの取り付け部が邪魔になり補助熱交換器をそのまま装着することは不可能である。従って、この場合は主熱交換器７１の端板を切り起こしの取り付け部がない端板に変えて補助熱交換器７３を装着し、補助熱交換器７３の端板７４を切り起こして空気清浄手段の取り付け枠７８の取り付け部を設け、前記端板７４に対し略垂直な方向に空気清浄手段の取り付け枠７８を取り付けていた。
【０００４】
従って、上記従来の取り付け構成では、主熱交換器７１の端板が切り起こしの取り付け部がある端板と切り起こしのない取付け部を備えた端板との２種類が必要になるので、コストアップとなり、組立・作業性も効率が下がるという課題を有していた。
【０００５】
【特許文献１】
特開２００２−６１８６３号公報
【０００６】
【発明が解決しようとする課題】
前記従来の技術上の問題点に鑑み、本発明が解決しようとする課題は、補助熱交換器を装着する場合でも主熱交換器の端板を取り変えることなく、補助熱交換器及び空気清浄手段を取り付けることを可能にした空気調和機を提供することにある。
【０００７】
【課題を解決するための手段】
前記従来の課題を解決するために本発明の請求項１記載に係る発明は、板状のフィンを積層した主熱交換器の端板との装着部を有する空気清浄手段の取り付け枠は前記主熱交換器の前記端板に平行な面に配置した構成とした。この構成によって従来例におけるような端板の切り起こし形状の取り付け部が必要でなくなる。
【０００８】
また、請求項２記載に係る発明は、板状のフィンを積層した補助熱交換器の端板との装着部を有する空気清浄手段の取り付け枠は前記補助熱交換器の前記端板に平行な面に配置した構成とした。この構成により、従来例におけるような端板の切り起こし形状の取り付け部が必要でなくなる。
【０００９】
また、請求項３記載に係る発明は、空気清浄手段の取り付け枠が有する装着部に設けたネジの締め付けピッチは主熱交換器の端板及び補助熱交換器の端板に設けたネジの締め付けピッチ間と同寸法とし、いずれに対しても装着可能な構成にしたものである。
【００１０】
【発明の実施の形態】
本発明の目的は各請求項に記載した構成を実施の形態の要部とすることにより達成できるものであり、以下には本発明の実施の形態についての具体的な構成を図面を参照して説明する。
【００１１】
（実施の形態１）
図１は本発明において補助熱交換器を装着しない場合の空気調和機の横断面図である。図１において、１は主熱交換器で積層された板状の多数のフィンを具備し、端板２を備えている。３は前記主熱交換器１等を固定する台枠であり、４は外装を構成する前面枠、５は前記前面枠４に隣接する位置に設けた外装を構成する吸入パネル、６は空気清浄手段の取り付け枠である。
【００１２】
そして図２は補助熱交換器を装着していない場合すなわち図１のＡ−Ａ断面図である。
【００１３】
図３は従来例における、補助熱交換器を装着していない場合の主熱交換器の端板を示す斜視図である。
【００１４】
図１、２において、主熱交換器１に具備した、空気清浄手段の取り付け枠６を主熱交換器１の端板２に対して平行な面に取り付けている。
【００１５】
上記構成において、主熱交換器１の端板２は、図３に示す従来の端板７の様に切り起こしの取り付け部８は必要でなくなり、平面状の板金であるため端板２を作製する金型構造も簡素化させることができる。
【００１６】
（実施の形態２）
図４は、実施の形態１で説明した主熱交換器１に補助熱交換器９を装着し、前記主熱交換器１の送風上流側に空気清浄手段の取り付け枠６を取り付けた空気調和機の横断面図であり図５は要部の側面図である。図４、５において、１は主熱交換器で、積層された板状の多数のフィンを具備し、両端部に端板２を備えている。１０は補助熱交換器９の端板であり前記主熱交換器１等を台枠３に固定し、外装を構成する前面枠４と外装を構成する吸入パネル５、ならびに空気清浄手段の取り付け枠６を備えている構成は実施の形態１に示す構成と同じである。
【００１７】
図５は補助熱交換器を装着している場合すなわち図４のＡ−Ａ断面図である。図４、５において、補助熱交換器９は主熱交換器１の端板２に対して、平行な面に取り付けられていて、尚且つ、空気清浄手段の取り付け枠６は補助熱交換器９の端板１０に対して平行な面に取り付けられている。
【００１８】
上記構成において、補助熱交換器９は、図３に示す従来の端板７の切り起こしの取り付け部８に邪魔されるようなことなく取り付けが可能であって、尚且つ従来の様に、補助熱交換器９を装着する場合と装着しない場合とで主熱交換器１の端板２を使い分ける必要がない。従って主熱交換器１の端板２は構造を変える必要がない。
【００１９】
（実施の形態３）
図６は、実施の形態１及び２で説明した、空気清浄手段の取り付け枠６が主熱交換器の端板２と補助熱交換器の端板１０のいずれに対しても取り付け可能な構成であることを示した空気清浄手段の取付け枠６、主熱交換器の端板２、ならびに補助熱交換器の端板１０の分解平面図である。従来より、主熱交換器の端板に補助熱交換器の端板を前記主熱交換器の端板に対して平行に取り付けることは行われていたが、本発明の実施の形態３では空気清浄手段の取り付け枠６の装着部を端板に対して平行に配置し、尚且つネジの締め付けピッチ間を前記主熱交換器の端板２と補助熱交換器の端板１０との装着部と同一にすることで、空気清浄手段の取付け枠６が主熱交換器の端板２と補助熱交換器の端板１０のいずれに対しても取付けが可能な構成を実現させた。
【００２０】
【発明の効果】
上記から明らかなように、本発明は、空気清浄手段の取り付け枠を熱交換器に取り付ける場合、空気調和機の形態により、補助熱交換器が装着される場合と、補助熱交換器が装着されないで、主熱交換器だけの場合がある空気調和機において、主熱交換器の送風上流側に空気清浄手段の取り付け枠を配置する時、補助熱交換器の有り・無しに拘わらず、空気清浄手段の取り付け枠を主熱交換器の端板を変える事なく取り付ける事が可能であるもので、この構成によれば、従来、主熱交換器の端板は２種類の相互に異なった構成が必要であったが、一つの主熱交換器の端板だけで良く、コストダウンと生産性の向上という効果を奏する。
【図面の簡単な説明】
【図１】本発明の実施の形態１における空気調和機の横断面図
【図２】図１のＡ−Ａ断面図
【図３】従来例の主熱交換器の端板の斜視図
【図４】本発明の実施の形態２における空気調和機の横断面図
【図５】図４のＡ−Ａ断面図
【図６】本発明の実施の形態３における空気清浄手段の取り付け枠、補助熱交換器の端板ならびに主熱交換器の端板の分解平面図
【図７】従来例における空気調和機の横断面図
【図８】図７のＡ−Ａ断面図
【符号の説明】
１  主熱交換器
２  主熱交換器の端板
３  台枠
６  空気清浄手段の取り付け枠
９  補助熱交換器
１０  補助熱交換器の端板
【図１】
2005009821.tif 000003
【図２】
2005009821.tif 000004
【図３】
2005009821.tif 000005
【図４】
2005009821.tif 000006
【図５】
2005009821.tif 000007
【図６】
2005009821.tif 000008
【図７】
2005009821.tif 000009
【図８】
2005009821.tif 000010